(57)【特許請求の範囲】
【請求項１】
細長い本体部(2) と、該本体部(2) の先端部に設けた括れ部(3) と、該括れ部(3) から軸方向の先端側に延長する嵌合部(4) を備え、前記嵌合部(4) を基盤(20)に設けられる取付孔(21)に圧入するようにした圧入型スペーサにおいて、
前記本体部(2) における括れ部(3) に隣接する部分から所定長さ軸方向後方にかけて外径を一体的に拡大した拡大部(5) が設けられ、
その拡大部(5) の直径は前記本体部(2) のそれより大に形成され、
その拡大部(5) の外周に筒状の拡大体(6) (10)が圧入固定されていることを特徴とする圧入型スペーサ。
【請求項２】
請求項１において、
前記拡大部(5) に外ねじ部(9) が設けられ、その外ねじ部(9) に拡大体(10)が螺着されている圧入型スペーサ。
【請求項３】
請求項 1または請求項２に記載の圧入型スペーサを用い、
基盤(20)に設けられた取付孔(21)に、その一方の平面側より前記嵌合部(4) が圧入固定され、前記基盤(20)の他方の平面側より前記拡大部(5) に前記拡大体(6) (10)が挿入固定されて、前記基盤(20)をその両側から圧着固着した圧入型スペーサの取付構造。
【発明の詳細な説明】
【０００１】
【発明の属する技術分野】
本発明は各種部品等をシャーシのような基盤に取り付ける際に使用される圧入型スペーサおよびその取付構造に関するものである。
【０００２】
【従来の技術】
電子機器等の筐体内には鋼製，アルミニュウム製のシャーシなどの基盤が設けられ、その基盤に各種部品等がスペーサを介して取り付けられる。このようなスペーサとして圧入型スペーサが知られており、それは細長い本体部と、その本体部の一端に設けた括れ部と、括れ部から軸方向に延長する嵌合部を備えている。通常、本体部や括れ部，嵌合部等は対象とする基盤より硬度の高い金属材料で一体的に形成され、油圧プレス等を使用して基盤に設けた取付孔にその嵌合部を圧入することにより、圧入型スペーサが基盤に固定される。そして各種部品等に設けられる貫通孔に固定ボルトを挿通し、その固定ボルトを本体部に設けたねじ孔にねじ結合することにより、各種部品等は基盤に取り付けられる。
【０００３】
【発明が解決しようとする課題】
しかし圧入型スペーサを使用する基盤の厚さが薄い場合には、例えば各種部品等に面方向の力が作用すると、圧入された嵌合部周囲の基盤に変形等を生じ、圧入型スペーサが傾いたり基盤に変形ひずみが生じるという問題がある。
そこで本発明は、このような問題を解決できる改良された圧入型スペーサの提供を課題とするものである。
【０００４】
【課題を解決するための手段】
上記課題を解決する本発明の請求項１に記載された発明は、細長い本体部(2) と、該本体部(2) の先端部に設けた括れ部(3) と、該括れ部(3) から軸方向の先端側に延長する嵌合部(4) を備え、前記嵌合部(4) を基盤(20)に設けられる取付孔(21)に圧入するようにした圧入型スペーサにおいて、
前記本体部(2) における括れ部(3) に隣接する部分から所定長さ軸方向後方にかけて外径を一体的に拡大した拡大部(5) が設けられ、
その拡大部(5) の直径は前記本体部(2) のそれより大に形成され、
その拡大部(5) の外周に筒状の拡大体(6) (10)が圧入固定されていることを特徴とする圧入型スペーサである。
請求項２に記載の発明は、請求項１に記載された発明において、前記拡大部(5) に外ねじ部(9) が設けられ、その外ねじ部(9) に拡大体(10)が螺着されている圧入型スペーサである。
請求項３に記載の発明は、請求項 1または請求項２に記載の圧入型スペーサを用い、
基盤(20)に設けられた取付孔(21)に、その一方の平面側より前記嵌合部(4) が圧入固定され、前記基盤(20)の他方の平面側より前記拡大部(5) に前記拡大体(6) (10)が挿入固定されて、前記基盤(20)をその両側から圧着固着した圧入型スペーサの取付構造である。
【０００５】
【発明の実施の形態】
次に、図面により本発明の実施の形態を説明する。
図１は本発明の圧入型スペーサの１例を使用し、それを基盤に固定した状態を示す部分断面図で、図２は圧入型スペーサ部分の分解斜視図である。
これらの図において、圧入型スペーサ１は一体的に形成された細長い筒状の本体部２、本体部２の一端に設けた環状の括れ部３、および括れ部３から軸方向に延長して突出する凸条の嵌合部４を備えている。さらに、本体部２における括れ部３に隣接する部分から軸方向にかけて所定長さ外径が若干拡大した拡大部５が一体的に形成され、該拡大部５の外周に筒状の拡大体６が圧入により固定されている。この固定は圧入以外にねじ結合、溶接、接着等であってもよい。
従ってこの例では、拡大部５と拡大体６の両者により必要とする外径を得ている。拡大部５の外径は本体部２の直径より 0.5〜２mm程度大きく、軸方向の所定長さの寸法は本体部２の直径の１〜３倍程度が好ましい。（なお、図２は拡大体６が拡大部５に圧入される前の状態である。）
【０００６】
圧入型スペーサ１、特にその嵌合部４は、圧入を確実に行うために基盤２０より高い硬度の材料、例えば炭素鋼，ステンレスなどの材料が使用される。
嵌合部４の外周面はローレット加工され、基盤２０に圧入した状態の圧入型スペーサ１が、基盤２０に対して回転することを抑制するようになっている。また本体部２、括れ部３および嵌合部４の内周面には、軸方向に連続する内ねじ部７が形成され、図示しない各種部品等をボルト結合できるようになっている。
なお、この内ねじ部７は本体部２の頂部から途中までのみに設けることもできる。さらには、内ネジの代わりに外ネジを形成してもよい。
【０００７】
次に、図１および図２を参照して上記圧入型スペーサ１を基盤２０に固定する方法について説明すると、
先ず第１の方法として、図２の状態から油圧プレス等を使用して拡大体６を本体部２における拡大部５に圧入して固定し、次にその圧入型スペーサ１の嵌合部４を油圧プレス等を使用し、基盤２０に設けた取付孔２１にその上面側から比較的ゆっくりと圧入して固定する。取付孔２１の内径は嵌合部４の外径より若干小さくされており、嵌合部４は該取付孔２１を押し広げながら圧入される。そして図１に示すように、嵌合部４が圧入進行した後の取付孔２１の周縁部はその復元力により縮小されて括れ部３に掛合し、基盤２０から圧入型スペーサ１が抜け落ちることを防止する。
このように基盤２０に固定された圧入型スペーサ１に対して、その軸に垂直方向の力が加わると、その力は本体部２を回転するように作用するが、拡大部５と拡大体６により外径が拡大された部分、特にその底面積が増加した部分によりその回転力が受け止められ、基盤２０の取付孔２１の周縁部に力が集中することを回避する。そのため該周縁部に変形等を生じないので、圧入型スペーサが傾くおそれもない。
【０００８】
次に、第２の方法として、図２の状態からその圧入型スペーサ１の嵌合部４を油圧プレス等を使用し、基盤２０に設けた取付孔２１にその下面側から比較的ゆっくりと圧入して固定する。取付孔２１の内径は拡大部５および嵌合部４の外径より若干小さくされており、拡大部５は該取付孔２１を押し広げながら圧入される。そして図１に示すように、拡大部５が圧入進行した後の取付孔２１の周縁部はその復元力により縮小されて括れ部３に掛合し、基盤２０から圧入型スペーサ１が抜け落ちることを防止する。次いで、基盤２０および嵌合部４の下面側を図示しない支持体の上面で支持しながら、油圧プレス等を使用して拡大体６を本体部２における拡大部５に上方から圧入して固定する。
なお、拡大体６の圧入に代えて後述する図４の構造の如く、その拡大体１０を拡大部５に螺着締結してもよい。
【０００９】
図３は本発明の圧入型スペーサ１の他の例を使用し、それを基盤に固定した状態を示す部分断面図である。
この例は、本体部２における括れ部３に隣接する部分から軸方向にかけての外径を所定長さ拡大する拡大部８を一体的に設けたもので、その作用は図１の例と同様である。
図４は本発明の圧入型スペーサ１のさらに他の例を使用し、それを基盤に固定した状態を示す部分断面図である。
この例は全長にわたって外径を同一にされた筒状の本体部２において、その端部に設けられた括れ部３に隣接する部分から軸方向にかけての所定長さの外径を拡大するために、本体部２における該所定長さ部分の外周面に外ねじ部９が形成され、その外ねじ部９に外径が本体部２より大きく且つ内ねじを設けた筒状の拡大体１０がねじ結合されている。そしてこの例の作用も、図１の例と同様である。
なお、ねじ結合による以外に、溶接、接着、圧入により拡大体１０を本体部２に結合することもできる。
【００１０】
【発明の効果】
以上のように本発明の圧入型スペーサは、本体部における括れ部に隣接する部分から所定長さ軸方向後方にかけての外径が拡大され、その拡大部５の外周に筒状の拡大体６，10が圧入固定されているので、圧入型スペーサに支持される物体に横方向の力が加わったとき、それによる圧入型スペーサの回転力が上記拡大された拡大部５および拡大体６，10の部分で、特にその底面積が増加して受け止められ、基盤の取付孔周縁部に力が集中することを回避できる。そのため該周縁部に変形等が生じないので、圧入型スペーサが傾くおそれもない。
また、本発明の圧入型スペーサの取付構造は、上記圧入型スペーサを用い、
基盤20に設けられた取付孔21に、その一方の平面側より嵌合部４が圧入固定され、基盤20の他方の平面側よりその拡大部５に拡大体６，10を挿入固定して、基盤20を両側から圧着固定するものであるから、その基盤20を両側から挟持し、軸方向のいずれの方向にも移動しにくい強固なスペーサ構造となる。
【図面の簡単な説明】
【図１】本発明の圧入型スペーサの１例を使用し、それを基盤に固定した状態を示す部分断面図。
【図２】図１における圧入型スペーサ部分の分解斜視図。
【図３】本発明の圧入型スペーサの他の例を使用し、それを基盤に固定した状態を示す部分断面図。
【図４】本発明の圧入型スペーサのさらに他の例を使用し、それを基盤に固定した状態を示す部分断面図。
【符号の説明】
１  圧入型スペーサ
２  本体部
３  括れ部
４  嵌合部
５  拡大部
６  拡大体
７  内ねじ部
８  拡大部
９  外ねじ部
１０  拡大体
２０  基盤
２１  取付孔
【図１】
0003899467.tif 000002
【図２】
0003899467.tif 000003
【図３】
0003899467.tif 000004
【図４】
0003899467.tif 000005